(57)【要約】【課題】電気室のスペースやレイアウトに応じて柔軟に配列することができる配電盤を提供する。【解決手段】１面１回路構成として、配電盤１を構成する筐体１ａ内に、母線導体２及び遮断器（真空遮断器）３などの機器が収容されている。そして、筐体の幅方向の寸法Ｌ１と奥行方向の寸法Ｌ２が同一に、即ち正方形状に形成され、上記母線導体が相順に鉛直方向に離間されて筐体の幅方向に水平に配設され、かつ該母線導体の筐体幅方向の端部と上記筐体の側壁部との離間寸法Ａ、Ｂが互いに同一となるように構成されたものである。【選択図】図１
2010288379.tif 000002
【特許請求の範囲】
【請求項１】
母線導体及び遮断器が収容された筐体の幅方向の寸法と奥行方向の寸法が同一に形成され、かつ上記母線導体が相順に鉛直方向に離間されて上記幅方向に水平に配設され、その母線導体の上記幅方向の端部と上記筐体の側壁部との離間寸法が左右同一に構成されてなることを特徴とする配電盤。
【請求項２】
上記母線導体と上記筐体の奥壁部との離間寸法が、該母線導体の上記幅方向の端部と上記筐体の側壁部との離間寸法と同一に構成されてなることを特徴とする請求項１記載の配電盤。
【請求項３】
上記母線導体は板状の導体からなり板面を水平に設けてなることを特徴とする請求項１または請求項２記載の配電盤。
【請求項４】
上記筐体が幅方向または奥行方向に列設され、隣接する筐体に収容された母線導体相互が全て同一寸法の盤間接続導体により接続されていることを特徴とする請求項１から請求項３の何れかに記載の配電盤。
【発明の詳細な説明】
【技術分野】
【０００１】
この発明は例えば母線導体、真空遮断器などが筐体内に収納された１面１回路構成の配電盤に関し、特に連結して構成する場合に好適な配電盤に関する。
【背景技術】
【０００２】
配電盤（スイッチギヤ）は、電力会社から送られてきた電気を電気が必要な負荷に分配する機能を有し、例えば複数、または数種類の配電盤を盤幅方向に配列して、隣りあう配電盤の母線を盤間接続導体等で接続することで電気が分配される。配電盤を電気室に据付ける際には、電気室の大きさや形状だけでなく、配電盤の据付面積、配電盤の前面／後面の保守スペース等を考慮して配列される。一般的には、配電盤を盤幅方向に配列するが、電気室の条件によっては、配列を分割して別々に配置し、２つの配電盤を背中合せにして、任意の一箇所で背面間で母線を盤間接続導体で接続する場合もある。従来の技術として、板状の母線導体を、板面を鉛直方向にして相順に水平方向に離間して配設するようにしたものがある（例えば特許文献１参照）。
【先行技術文献】
【特許文献】
【０００３】
【特許文献１】特公昭６２−５９５２２号公報（第１頁、第２図）
【発明の概要】
【発明が解決しようとする課題】
【０００４】
配電盤を据付けるには、配電盤の据付面積の他に、搭載している真空遮断器などの引出機器を搬入、引出しするためのスペースや外線ケーブル等の引込み接続作業をするためのスペースが必要となる。また、電気室によっては、例えば壁面から柱が飛び出している部分が存在する場合、形状がＬ字のようになっている場合、他の電気設備が既に据付けられている場合など様々な条件があり、実際に配電盤を設置できるスペースは非常に限られている。従って、配電盤としては、設置に必要なスペースを小さくすることができ、更に限られたスペースを有効に活用できることが望まれる。従来の上記特許文献１のような技術ではスペースに応じた構成とすることが困難であった。
【０００５】
この発明は上記のような従来技術の実情に鑑みてなされたもので、電気室のスペースやレイアウト等に応じて柔軟に対応することができる配電盤を提供することを目的としている。
【課題を解決するための手段】
【０００６】
本発明に係る配電盤は、母線導体及び遮断器が収容された筐体の幅方向の寸法と奥行方向の寸法が同一に形成されている。そして、上記母線導体が相順に鉛直方向に離間されて上記幅方向に水平に配設され、かつ該母線導体の上記幅方向の端部と上記筐体の側壁部との離間寸法が左右同一に構成されてなるものである。
【発明の効果】
【０００７】
本発明の配電盤は、その筐体を上から見て正方形とし、母線導体の盤幅方向端部と筐体の側壁部との距離を左右同一寸法としたことで、配電盤の列盤は、側面方向及び背面合わせだけではなく、盤側面に対して、連結する配電盤の背面を接続することも可能となる。このため、設置スペースやレイアウトに応じて柔軟に対応することができる。
【図面の簡単な説明】
【０００８】
【図１】本発明の実施の形態１に係る配電盤の要部構成を概念的に示す斜視図。
【図２】図１に示された配電盤を複数配列した例を示す平面図。
【図３】本発明の実施の形態２に係る配電盤の要部構成を概念的に示す斜視図。
【図４】図３に示された配電盤を複数配列した例を示す平面図。
【図５】図３に示された配電盤の他の配列例を示す平面図。
【発明を実施するための形態】
【０００９】
実施の形態１．
以下、本発明の実施の形態１に係る配電盤（スイッチギヤ）について、図１及び図２を参照して説明する。図において、配電盤１を構成する筐体１ａの内部には、主回路を構成する母線導体２、遮断器としての真空遮断器３、一端部が真空遮断器３の負荷側に接続され他端部に外線ケーブル（図示省略）を接続するためのケーブル接続部４ａを有する接続導体４などが収容され、幅方向（図の左上から右下方向）の寸法Ｌ１と奥行方向の寸法Ｌ２が同一に形成されている。即ち、配電盤１を上から見ると正方形である。上記母線導体２は平板状の導電材料からなり、筐体１ａとの間及び相間で必要な耐電圧性能を満足できる空間距離を確保して相順に例えば上からＲ、Ｓ、Ｔ相の順で鉛直方向に離間され、図示省略している絶縁支持手段により筐体１ａの奥側に、筐体１ａの幅方向に水平に支持されている。
【００１０】
また、主回路の母線導体２からケーブル接続部４ａまでの導体長さを最短化するために、真空遮断器３の配置も母線導体２と平行で上からＲ、Ｓ、Ｔ相の順で配置されている。そして、上記母線導体２の幅方向端部と筐体１ａの側壁部との間に確保されている図１の左上側の離間寸法Ａ、及び図１の右下側の離間寸法Ｂは左右同一に構成されている。なお、母線導体２の筐体１ａの幅方向各端部には配電盤１を列設したときに隣り合う配電盤１の母線導体２相互を後述する盤間接続導体７によって接続するときに用いる例えば貫通穴などの係合部（図示省略）が設けられている。
【００１１】
上記本発明の典型的な特徴部分の他、配電盤１としては前面操作、前面保守ができる構造であり、筐体１ａの前面側にはヒンジによって開閉可能な扉１ｂ（図１では図示省略）が設けられ、該扉１ｂには盤内の状態を計測、表示、制御し、収納機器を操作できる図示省略している例えばデジタルマルチリレー等の機器類が取付けられている。また、扉１ｂを開けると、真空遮断器３の操作面（図示省略）が正面に設けられ、真空遮断器３を出し入れすることができる。また、扉１ｂを開けたときの正面に設けられたカバー（図示省略）を取り外すと、外線ケーブルを接続するための上記ケーブル接続部４ａが現われ、正面側から外線ケーブルの引込み作業、圧縮／圧着処理、分岐導体への接続作業などを行うことができるように構成されている。さらに、筐体１ａの側壁、奥壁、天板、または床などの所定部には、後述する盤間接続導体７を挿通し、負荷側の外線ケーブルを挿通し、あるいは電源側に接続される電源母線を挿通するための挿通部（図示省略）を構成することができる。これらの配電盤１としての機能、構成などについては従来の配電盤、閉鎖配電盤と同様であるので、詳細については図示及び説明を省略する。
【００１２】
上記のように構成された１面１回路の配電盤１は、電気室の壁５から柱６が飛び出しているような設置場所に対して、必要に応じて用意された所望数（この例では６面）の配電盤１を例えば図２に示すように配列する。即ち、配電盤１Ａ、１Ｂ、１Ｃは正面を図の上方に向けて幅方向に連結し、配電盤１Ｄと配電盤１Ｅは上記配電盤１Ａ、１Ｂの背面側に背中を合わせるように連結され、配電盤１Ｆは点線の円で示す作業スペースＤが確保できないため、正面を図の右側に向けて、配電盤１Ｅの右側面部で、かつ配電盤１Ｃの背面側に連結される。
【００１３】
また、配電盤１Ａ〜配電盤１Ｆの内部に配設された母線導体２相互は、何れも真直ぐな板状で、図２に示すように長さがａの盤間接続導体７１、長さがｂの盤間接続導体７２、及び長さがｃの盤間接続導体７３の３種類の盤間接続導体（以下、区別の必要がない場合、これらを包括して盤間接続導体７と呼ぶ）によって、Ｒ、Ｓ、Ｔ相共、例えば図示省略しているボルト、ナット等の公知の接続手段によってそれぞれ同様に接続、固定される。なお、盤間接続導体７１は配電盤１が幅方向に連結された箇所に、盤間接続導体７２は背中合わせに連結された箇所に、盤間接続導体７３は配電盤１の背面が相手の配電盤１の側面に連結された箇所にそれぞれ区別して使用される。
【００１４】
上記のように構成された実施の形態１においては、１面１回路構成とし、配電盤１の幅と奥行の外形寸法を同一としたことにより、配電盤１の両側面方向への配列や、背面合せの配列だけでなく、背面と側面にそれぞれ連結するなど、設置場所のスペース形状に応じて柔軟な配列が可能である。また、母線導体２を板面を水平にして筐体１ａの奥側に水平に配置したので、配電盤１の裏面部での母線接続作業が簡単に行える。また、母線導体２の両端と筐体１ａの左右の側壁部との間にそれぞれ確保している離間寸法ＡとＢを同一寸法とし、しかも相順に上下方向に配設したことで、配電盤１を列盤した際に母線導体２相互を繋ぐ盤間接続導体７は、相間で長さが同一の真直ぐな板状の導体で接続することができる。なお、この実施の形態１では列盤の仕方により盤間接続導体７の必要な長さが異なり、図２に示す通りａ、ｂ、ｃの３種類用意される。なお、側面方向への配列だけの場合、長さがａの盤間接続導体７１の１種類で間に合うことになる。
【００１５】
また、正面の扉１ｂを開け、その内部正面に設置された図示省略しているカバーを取り外すと、外線ケーブルを接続するケーブル接続部４ａが現われ、正面側から外線ケーブルの引込み作業、圧縮／圧着処理、分岐導体への接続作業などを行うことができる。即ち、前面操作、前面保守構造とすることができる。また、例えば柱などの突出部があり配電盤１の前面スペースが確保できない場合、従来は前面スペースが確保できるところまで配列し、それ以外は別の配列にして、それぞれの配列をケーブル等で取り合っていたが、そのような対応が不要となる。このため、ケーブル等の資材の使用量を減らすことも可能となる。材料の使用量を減らせることで、環境負荷の低減にも寄与できる。
【００１６】
実施の形態２．
次に、本発明の実施の形態２に係る配電盤について、図３〜図５を参照して説明する。なお、各図を通じて同一または相当部分には同一符号を付している。図３において、母線導体２の幅方向端部と筐体１ａの側壁部との間に確保されている図２の左上側の離間寸法Ａ、及び右下側の離間寸法Ｂは左右同一に構成され、かつ母線導体２と筐体１ａの奥壁部との離間寸法Ｃも、上記離間寸法Ａ、Ｂと同一に構成されている。即ち、実施の形態２では、Ａ＝Ｂ＝Ｃ  となっている。配電盤１のその他の構成は実施の形態１と同様である。図４は、上記のように構成された配電盤１を平面形状が図２と同様の電気室に設置した例を示す。図５は、上記配電盤１を平面形状がＬ字状の電気室の壁に沿ってＬ字状に配列した他の例を示す。
【００１７】
上記のように構成された実施の形態２においては、母線導体２と、筐体１ａの左右の側壁部との離間寸法Ａ、Ｂ、及び筐体１ａの奥壁部との離間寸法Ｃを全て同一寸法にしたことで、隣り合う母線導体２相互を繋ぐ盤間接続導体７は、真直ぐな導体で接続することができ、その盤間接続導体７の寸法は、実施の形態１の長さがａの盤間接続導体７１の１種類で全ての接続箇所に対応することができる。このため、標準化することも容易となるため、部品の種類が削減され安価にすることもできる。また、電気室の様々な形状や柱などの条件に一層柔軟に対応でき、限られたスペースを有効に活用して配列できる。
【００１８】
なお、上記実施の形態では、遮断器として真空遮断器３を用いたが、必ずしもこれに限定されるものではない。また、ここでは配電盤１の扉１ｂが設けられている側を正面とし、その正面から見て左右方向を幅方向、前後方向を奥行方向と呼ぶこととしている。
【符号の説明】
【００１９】
１（１Ａ〜１Ｆ）  配電盤、  １ａ  筐体、  １ｂ  扉、  ２  母線導体、  ３  真空遮断器、  ４ａ  ケーブル接続部、  ４  接続導体、  Ａ、Ｂ、Ｃ  離間寸法、  ５  壁、  ６  柱、  ７（７１、７２、７３）  盤間接続導体。
【図１】
2010288379.tif 000003
【図２】
2010288379.tif 000004
【図３】
2010288379.tif 000005
【図４】
2010288379.tif 000006
【図５】
2010288379.tif 000007